(57)【要約】    【課題】  極めて簡単な構成で、かつ効果的に、ＦＦＣが読取手段に巻き付くのを防止することができる原稿読取装置を提供することを目的とする。    【解決手段】  原稿を載置するコンタクトガラス２１を有する原稿載置台２と、筐体１内に収納され前記コンタクトガラス２１上に位置決めされた前記原稿を読取る読取手段３と、この読取手段３と前記筐体１内に配設されたコネクター５を接続するＦＦＣ４とを備え、このＦＦＣ４を前記コンタクトガラス２１面に水平方向に配置するようにした原稿読取装置において、前記ＦＦＣ４として、平面状に所望の間隔を空けて並設した複数本の導体６１、６２、６３、６４、６５、６６と、これら導体６１、６２、６３、６４、６５、６６を被覆する絶縁性の被覆層７と、前記導体６１、６２、６３、６４、６５、６６と被覆層７とを接着する接着層８とからなり、前記導体６１、６２、６３、６４、６５、６６の内の一部の導体６３、６４の厚さを、その長さ方向に亘って厚く形成する。【選択図】図２
2005136577.tif 000002
【特許請求の範囲】
【請求項１】
原稿を載置するコンタクトガラスを有する原稿載置台と、筐体内に収納され前記コンタクトガラス上に位置決めされた前記原稿を読取る読取手段と、この読取手段と前記筐体内に配設されたコネクターを接続するフレキシブルフラットケーブルとを備え、このフレキシブルフラットケーブルを前記コンタクトガラス面に水平方向に配置するようにした原稿読取装置において、
前記フレキシブルフラットケーブルとして、平面状に所望の間隔を空けて並設した複数本の導体と、これら導体を被覆する絶縁性の被覆層と、前記導体と被覆層とを接着する接着層とからなり、前記導体の内の一部の導体の厚さを、その長さ方向に亘って厚く形成したことを特徴とする原稿読取装置。
【請求項２】
原稿を載置するコンタクトガラスを有する原稿載置台と、筐体内に収納され前記コンタクトガラス上に位置決めされた前記原稿を読取る読取手段と、この読取手段と前記筐体内に配設されたコネクターを接続するフレキシブルフラットケーブルとを備え、このフレキシブルフラットケーブルを前記コンタクトガラス面に水平方向に配置するようにした原稿読取装置において、
前記フレキシブルフラットケーブルとして、平面状に所望の間隔を空けて並設した複数本の導体と、これら導体を被覆する絶縁性の被覆層と、前記導体と被覆層とを接着する接着層とからなり、その幅方向の一部の厚さを、その長さ方向に亘って厚く形成したことを特徴とする原稿読取装置。
【請求項３】
前記フレキシブルフラットケーブルの幅方向の中央部分の厚さを、その長さ方向に亘って厚く形成したことを特徴とする請求項２に記載の原稿読取装置。
【請求項４】
前記導体の内の、中央部分の導体の厚さを、その長さ方向に亘って厚く形成したことを特徴とする請求項１に記載の原稿読取装置。
【請求項５】
前記絶縁層の一部分の厚さを、その長さ方向に亘って厚く形成したことを特徴とする請求項２または請求項３いずれかに記載の原稿読取装置。
【請求項６】
前記絶縁層の一部分の厚さを、その長さ方向に亘って厚く形成する部分を、
補強絶縁層で形成したことを特徴とする請求項５に記載の原稿読取装置。
【請求項７】
前記長さ方向に亘って厚く形成する部分を、フレキシブルフラットケーブルがＵ字状に変形し始める点またはその近傍から読取最終位置の近傍まで形成したことを特徴とする請求項１または請求項２いずれかに記載の原稿読取装置。
【発明の詳細な説明】
【技術分野】
【０００１】
本発明は、コンタクトガラス上に載置した原稿を読み取ってデジタルデータに変換してコンピュータに出力するスキャナなどの原稿読取装置に関し、特にフレキシブルフラットケーブル（以下単にＦＦＣと称す。）が、走査時に読取手段に巻き付くのを効果的に防止するようにしたものである。
【背景技術】
【０００２】
周知の通り、スキャナなどの原稿読取装置にあっては、原稿載置台のコンタクトガラス上に載置した原稿を読み取る際、前記コンタクトガラスの下に設けた読取手段をホームポジションから読取最終位置、すなわち原稿の始点から終点までを平行に移動し、原稿を走査する。このとき、前記読取手段に走査時の電力供給および読取り信号の伝達や制御に、ＦＦＣが用いられる。
【０００３】
ところが、特にこの種装置が薄型の場合、ＦＦＣも極めて薄いものが使用され、ＦＦＣを前記コンタクトガラス面に水平方向に配置しているので、読取手段の移動に伴ってコンタクトガラス面とＦＦＣが摺動してＦＦＣが座屈し、あるいは読取手段に巻き付き、読取手段の移動を妨げ、これに起因してＦＦＣが断線したり、動かなくなったりして、この種装置の故障の原因となっていた。
【０００４】
また、従来のこの種装置に用いられていたＦＦＣは、図７に示すように、複数本の同一厚さの導体６を平面状に所望の間隔空けて並設し、これら導体６と絶縁性の被覆層７とを接着層８を介して被覆しているので、前記導体６が存在する部分が凸部となり、この凸部が同じ高さで一定間隔を空けて形成されることとなる。したがって、前述したように読取手段の移動に伴ってコンタクトガラス面に、前記凸部が摺動する。このため、前記コンタクトガラスの内面側に、前記凸部の数、すなわち並設した導体６の数の筋状の跡が汚れとして生ずるなどといった、不都合があった。
【０００５】
ところで、ＦＦＣとしては、例えば複数の細径の導体に隣接させて複数の太径の導体を、所定間隔を隔てて並列にそれぞれ複合配置すると共に、絶縁体の被覆部でそれぞれ被覆し、かつ、太径の導体と該太径の導体に隣接する細径の導体とを被覆する各被覆部間の幅広の連結部の上面の略中央の長手方向に、断面Ｖ字状の切り溝を、その全長に渡って形成したものがある(例えば、特許文献1参照）。
【特許文献１】特開２００１−２７３８２０号公報
【発明の開示】
【発明が解決しようとする課題】
【０００６】
しかし、前述の特許文献１記載の構成では、複合ケーブルの一体化を狙ったものであり、
細径の導体と太径の導体との接続位置は、全く異なった所であり、前記断面Ｖ字状の切り溝により切り離すものである。したがって、このような特許文献１記載のＦＦＣは、読取手段の移動に伴って断面Ｖ字状の切り溝から切り裂かれ、ＦＦＣが座屈し、あるいは読取手段に巻き付き、読取手段の移動を妨げるなどの危惧があるため、本発明のようにＦＦＣが稼動時に移動するようなこの種原稿読取装置に適用することは出来ない。
【０００７】
本発明は、上述した問題を解決するためになされたものであり、極めて簡単な構成で、かつ効果的に、ＦＦＣが読取手段に巻き付くのを防止することができる原稿読取装置を提供することを目的とする。
【課題を解決するための手段】
【０００８】
かかる目的を達成するため、請求項１記載の発明では、原稿を載置するコンタクトガラスを有する原稿載置台と、筐体内に収納され前記コンタクトガラス上に位置決めされた前記原稿を読取る読取手段と、この読取手段と前記筐体内に配設されたコネクターを接続するＦＦＣとを備え、このＦＦＣを前記コンタクトガラス面に水平方向に配置するようにした原稿読取装置において、前記ＦＦＣとして、平面状に所望の間隔を空けて並設した複数本の導体と、これら導体を被覆する絶縁性の被覆層と、前記導体と被覆層とを接着する接着層とからなり、前記導体の内の一部の導体の厚さを、その長さ方向に亘って厚く形成する。
【０００９】
請求項２記載の発明では、原稿を載置するコンタクトガラスを有する原稿載置台と、筐体内に収納され前記コンタクトガラス上に位置決めされた前記原稿を読取る読取手段と、この読取手段と前記筐体内に配設されたコネクターを接続するＦＦＣとを備え、このＦＦＣを前記コンタクトガラス面に水平方向に配置するようにした原稿読取装置において、前記ＦＦＣとして、平面状に所望の間隔を空けて並設した複数本の導体と、これら導体を被覆する絶縁性の被覆層と、前記導体と被覆層とを接着する接着層とからなり、その幅方向の一部の厚さを、その長さ方向に亘って厚く形成する。
【００１０】
請求項３記載の発明では、前記ＦＦＣの幅方向の中央部分の厚さを、その長さ方向に亘って厚く形成する。
【００１１】
請求項４記載の発明では、前記導体の内の、中央部分の導体の厚さを、その長さ方向に亘って厚く形成する。
【００１２】
請求項５記載の発明では、前記絶縁層の一部分の厚さを、その長さ方向に亘って厚く形成する。
【００１３】
請求項６記載の発明では、前記絶縁層の一部分の厚さを、その長さ方向に亘って厚く形成する部分を、補強絶縁層で形成する。
【００１４】
請求項７記載の発明では、前記長さ方向に亘って厚く形成する部分を、ＦＦＣがＵ字状に変形し始める点またはその近傍から読取最終位置の近傍まで形成する。
【発明の効果】
【００１５】
請求項１記載の発明の構成によれば、導体の内の一部の導体の厚さを、その長さ方向に亘って厚く形成したので、ＦＦＣの弾力性が増し、腰が強くなり、読取手段が移動する際、これに伴って追従移動するＦＦＣが座屈したり、あるいは読取手段に巻き付いたりすることがない。したがって、読取手段はスムーズに移動し、従来のようなＦＦＣの断線や、読取手段が動かなくなる、などといったことがなくなり、この種装置を長期間に亘って安定して使用することができる。また、読取手段の移動に伴ってコンタクトガラス面と摺動する部分は、導体の厚さを厚くした凸部のみとなり、従来に比べ筋状の跡の汚れを極めて減少することができる、などといった効果を奏する。
【００１６】
請求項２記載の発明の構成によれば、ＦＦＣのその幅方向の一部の厚さを、その長さ方向に亘って厚く形成したので、ＦＦＣの弾力性が増し、腰が強くなり、読取手段が移動する際、これに伴って追従移動するＦＦＣが座屈したり、あるいは読取手段に巻き付いたりすることがない。したがって、読取手段はスムーズに移動し、従来のようなＦＦＣの断線や、読取手段が動かなくなる、などといったことがなくなり、この種装置を長期間に亘って安定して使用することができる。また、読取手段の移動に伴ってコンタクトガラス面と摺動する部分は、その厚さを厚くした凸部のみとなり、従来に比べ筋状の跡の汚れを極めて減少することができる、などといった効果を奏する。
【００１７】
請求項３記載の発明の構成によれば、ＦＦＣの幅方向の中央部分の厚さを、その長さ方向に亘って厚く形成したので、ＦＦＣの中央部分の腰の強さが強くなり、ＦＦＣの追従移動が円滑となるので、好ましい。
【００１８】
請求項４記載の発明の構成によれば、導体の内の中央部分の導体の厚さを、その長さ方向に亘って厚く形成したので、ＦＦＣの中央部分の腰の強さが強くなり、ＦＦＣの追従移動が円滑となるので、好ましい。
【００１９】
請求項５記載の発明の構成によれば、絶縁層の一部分の厚さを、その長さ方向に亘って厚く形成したので、最適な腰の強さが得られるように前記絶縁層を設計できる他、軽量化が図れるので、好ましい。
【００２０】
請求項６記載の発明の構成によれば、前記絶縁層の一部分の厚さを、その長さ方向に亘って厚く形成する部分を、補強絶縁層で形成したので、被覆絶縁層と異なる材料で最適な腰の強さが得られるように前記補強絶縁層を設計できる他、軽量化が図れるので、好ましい。
【００２１】
請求項７記載の発明の構成によれば、長さ方向に亘って厚く形成する部分を、ＦＦＣがＵ字状に変形し始める点またはその近傍から読取最終位置の近傍まで形成したので、他の部分は従来と同じ構成で良く、より軽量化が図れる他、材料費の節約ができるので、好ましい。
【発明を実施するための最良の形態】
【００２２】
原稿を載置するコンタクトガラスを有する原稿載置台と、筐体内に収納され前記コンタクトガラス上に位置決めされた前記原稿を読取る読取手段と、この読取手段と前記筐体内に配設されたコネクターを接続するＦＦＣとを備え、このＦＦＣを前記コンタクトガラス面に水平方向に配置するようにした原稿読取装置において、前記ＦＦＣとして、平面状に所望の間隔を空けて並設した複数本の導体と、これら導体を被覆する絶縁性の被覆層と、前記導体と被覆層とを接着する接着層とからなり、前記導体の内の中央部分の導体の厚さを、その長さ方向に亘って厚く形成する。
【実施例１】
【００２３】
以下、本発明の一実施例を図１乃至図２に基づき説明する。図１は、本発明の一実施例の原稿読取装置の要部を示す概略構成図、図２は、図１に示す原稿読取装置に用いるＦＦＣの一例を模式的に示す概略構成拡大斜視図である。
【００２４】
１は筐体で、その上面には図示しない原稿を載置するためのコンタクトガラス２１を有する原稿載置台２が形成されている。３は読取手段で、前記筐体１内に配置され、図示しない駆動源や、搬送機構などからなる駆動手段により、コンタクトガラス２１の下を矢印Ｘで示すように往復移動し、ホームポジションＡから読取最終位置Ｂに移動する際、原稿を走査する。
【００２５】
前記読取手段３は、図示しないが原稿照射用の光源である例えば３色（Ｒ、Ｇ、Ｂ）のＬＥＤ、原稿からの反射光をイメージセンサーの受光素子に結像するロットレンズアレイおよびイメージセンサーなどにより構成され、図示しない枠体上に配置されている。
【００２６】
４はＦＦＣで、前記読取手段３のＬＥＤへの電力供給およびイメージセンサーなどの読取り信号の伝達や制御に用いられ、読取手段３と前記筐体１内に設けられたコネクター５とを接続し、前記読取手段３の移動に追従してＵ字状に変形しながら移動する。
【００２７】
前記ＦＦＣ４は、図２に示すように、平面状に所望の間隔を空けて導体６１、６２、６３、６４、６５、６６を並設し、これら導体６１、６２、６３、６４、６５、６６を、例えば、ポリエチレンテレフタレート樹脂などからなる絶縁性の被覆層７−７によりサンドイッチ状に挟み込み、例えば、ポリエチレンテレフタレートやポリ塩化ビニールなどを主成分とする接着剤を接着層８として被覆形成されている。而して、本発明にしたがい前記導体６１、６２、６３、６４、６５、６６の内、中央部に位置する導体６３、６４の厚さＴ１は、他の導体６１、６２、６５、６６の厚さＴ２に比べ、その長さ方向に亘って厚い（Ｔ１＞Ｔ２）ものが用いられている。この場合、その厚さを厚くする導体６３、６４の数は、ＦＦＣ４として、適当な腰の強さが得られるようにすれば良く、１本のみでも良いのは勿論である。
【００２８】
次に、このように構成されたＦＦＣ４を用いた原稿読取装置の動作を説明する。先ず、図１に示すような読取手段３がホームポジションＡに位置する状態で、図示しない制御部から走査指令が発せられると、図示しない駆動手段が動作し、読取手段３がホームポジションＡから読取最終位置Ｂ側（紙面左方向）に、コンタクトガラス２１上に載置された原稿を走査しながら移動し、前記原稿を読み取り、その情報がＦＦＣ４を介して図示しないＣＰＵに伝達される。この移動に伴ってＦＦＣ４も追従してＵ字状に変形しながら読取最終位置Ｂ側に移動する。その後、駆動手段が逆方向に駆動され読取手段３が、ホームポジションＡに移動し、これに伴って往路同様、ＦＦＣ４も追従してＵ字状に変形しながらホームポジションＡに移動し、次の指令があるまで待機する。
【００２９】
以上の構成による実施例では、読取手段３が往復移動する際、これに伴って追従移動するＦＦＣ４は、適度な腰の強さが付与されたので、円滑に移動し、ＦＦＣ４が座屈したり、あるいは読取手段３に巻き付いたりすることがない。したがって、読取手段３は、従来のようなＦＦＣ４の断線や、読取手段３が動かなくなる、などといったことがなくなり、この種装置を長期間に亘って安定して使用することができる。しかも、ＦＦＣ４は、中央部分に大きな凸部Ｈ１があり、この凸部Ｈ１が前記コンタクトガラス２１面に接触するので、他の部分、すなわち両側にある小さな凸部Ｈ２は、非接触状態が保たれ、コンタクトガラス２１面に汚れとして生じる筋状の跡が極めて減少する、などといった効果を奏する。
【実施例２】
【００３０】
次に、図３に示す本発明の他の実施例について説明する。この実施例では、一部の導体の厚さを厚くする換わりに、補強絶縁層を用いたものである。図３は、ＦＦＣの他の例を模式的に示す概略構成拡大斜視図である。なお、図３において図1乃至図２と同じ符号を付した部分は略同一のものを示す。以下相違点を中心に説明する。
【００３１】
この実施例では、複数本の導体６の厚さは、全て同じ厚さのものを用い、中央に位置する導体６の両面に、補強絶縁層９を設け、前述の実施例と同様に、絶縁性の被覆層７−７によりサンドイッチ状に挟み込み、接着剤を接着層８として被覆形成されている。この場合、前記補強絶縁層９としては、ＦＦＣ４として、適当な腰の強さが得られるように、その厚さや材質、更には幅などを適宜選定すれば良いのは勿論である。また、前記補強絶縁層９を別途設けずに、該部分の被覆層７の厚みを厚く形成しても良いのは勿論である。
【００３２】
この構成によっても、前述の実施例と同様、読取手段３が移動する際、これに伴って追従移動するＦＦＣ４は、適度な腰の強さが付与されたので、円滑に移動し、ＦＦＣ４が座屈したり、あるいは読取手段３に巻き付いたりすることがない。したがって、読取手段３は、従来のようなＦＦＣ４の断線や、読取手段３が動かなくなる、などといったことがなくなり、この種装置を長期間に亘って安定して使用することができる。更には、前記絶縁層７の一部分の厚さを、その長さ方向に亘って厚く形成する部分を、補強絶縁層９で形成したので、被覆層７と異なる材料で最適な腰の強さが得られるように前記補強絶縁層９を設計できる他、軽量化が図れるので、好ましい。
【実施例３】
【００３３】
次に、図４乃至図６に示す本発明の更に他の実施例について説明する。この実施例では、ＦＦＣの長さ方向に亘って厚く形成する部分を、ＦＦＣがＵ字状に変形し始める点またはその近傍から読取最終位置の近傍まで形成したものである。図４は、本発明の更に他の実施例を説明するための原稿読取装置の概略構成を示し、読取手段がホームポジションに位置する状態を示す一部断面図、図５は、図４に示す原稿読取装置において、読取手段が読取最終位置に位置する状態を示す一部断面図、図６は、図４に示す原稿読取装置に用いるＦＦＣの一例を模式的に示す概略構成拡大正面図である。なお、図４乃至図６において図1乃至図５と同じ符号を付した部分は略同一のものを示す。以下相違点を中心に説明する。
【００３４】
この実施例では、前記ＦＦＣ４の伸縮、移動および変形しない部分、すなわち、図４に示すように読取手段３がホームポジションＡにある状態で、コネクター５と接続される点Ｐ１からＦＦＣ４のＵ字状に変形し始める点Ｐ２までの間は、従来と同様の構成でＦＦＣ４を形成し、Ｕ字状に変形し始める点Ｐ２から読取手段３に接続される点Ｐ３までを図６に示すように、中央部分に位置する２本の導体６−６に跨って、かつ、コンタクトガラス２１または／および筐体１の底面１１と接触する側、すなわち外周面にのみ補強絶縁層９を設け、前述の実施例と同様に、絶縁性の被覆層７−７によりサンドイッチ状に挟み込み、接着剤を接着層８として被覆形成されている。この場合、前記補強絶縁層９としては、ＦＦＣ４として、適当な腰の強さが得られるように、その厚さや材質、更には幅などを適宜選定すれば良いのは勿論である。
【００３５】
この構成によれば、前述した各実施例と同様の作用効果を奏する他、読取手段３が移動してもなんら影響を受けず、該部分における座屈などの可能性が皆無である部分、すなわち点Ｐ１から点Ｐ２までは、従来と同様の構成で良く、より軽量化が図れる他、材料費の節約ができるので、好ましい。
【００３６】
なお、上述した各実施例は、本発明の好適な実施例であるが、本発明はこれに限定されるものではなく、本発明の要旨を逸脱しない範囲において、種々変形実施可能である。
【図面の簡単な説明】
【００３７】
【図１】本発明の一実施例の原稿読取装置の要部を示す概略構成図である。
【図２】図１に示す原稿読取装置に用いるＦＦＣの一例を模式的に示す概略構成拡大斜視図である。
【図３】ＦＦＣの他の実施例を模式的に示す概略構成拡大斜視図である。
【図４】本発明の更に他の実施例を説明するための原稿読取装置の概略構成を示し、読取手段がホームポジションに位置する状態を示す一部断面図である。
【図５】図４に示す原稿読取装置において、読取手段が読取最終位置に位置する状態を示す一部断面図である。
【図６】図４に示す原稿読取装置に用いるＦＦＣの一例を模式的に示す概略構成拡大正面図である。
【図７】従来のＦＦＣを模式的に示す概略構成拡大正面図である。
【符号の説明】
【００３８】
１    筐体
２    原稿載置台
２１  コンタクトガラス
３    読取手段
４    フレキシブルフラットケーブル（ＦＦＣ）
５    コネクター
６、６１、６２、６３、６４、６５、６６    導体
７    被覆層
８    接着層
９    補強絶縁層
Ａ    ホームポジション
Ｂ    読取最終位置
【図１】
2005136577.tif 000003
【図２】
2005136577.tif 000004
【図３】
2005136577.tif 000005
【図４】
2005136577.tif 000006
【図５】
2005136577.tif 000007
【図６】
2005136577.tif 000008
【図７】
2005136577.tif 000009